(57)【特許請求の範囲】
【請求項１】
本体枠に形成した遊技盤保持部に遊技盤を着脱可能に保持すると共に、該本体枠における遊技盤保持部の下方に形成した設置面部に、遊技球を遊技盤の盤面へ向けて打ち出す発射ユニットを配設した遊技機において、
前記発射ユニットは、
取付ベース部材と、
前記取付ベース部材の前面側に配置される回転式駆動手段と、
前記取付ベース部材の裏面側に配置されて前記遊技盤の盤面へ発射可能な角度で傾斜し、所定の打球発射位置に遊技球を停止保持可能な発射レールと、
前記取付ベース部材の裏面側に配置されて前記回転式駆動手段の回転軸に接続し、該回転式駆動手段の駆動により前記発射レールの打球発射位置に停止保持した遊技球を遊技盤の盤面へ向けて打ち出す打球杆とから構成し、
前記設置面部には、前記発射ユニットの裏面を設置面部に対向させた姿勢で取り付け得るよう前方に突出する支持部を形成し、
前記取付ベース部材には、前記発射レールにおける遊技球が転動する転動面より上方まで延在して、前記打球杆が打ち出した遊技球の発射レールの前方への落下を防止する落下防止部を形成し、
前記支持部に発射ユニットを取り付けた際に、前記設置面部と取付ベース部材との間に前記発射レールおよび打球杆が位置すると共に、該発射レールが遊技球の直径寸法より小さな離間間隔で前記設置面部に近接するよう構成した
ことを特徴とする遊技機。
【請求項２】
前記取付ベース部材には、前記発射レールの上端部に沿って延在するよう球送り用切欠部が形成され、球送り装置からの遊技球を該球送り用切欠部を介して発射レールの打球発射位置に送出するよう構成した請求項１記載の遊技機。
【請求項３】
前記落下防止部は、前記取付ベース部材における前記発射レールの上端部に沿う縁部を上方に延出させて形成され、該落下防止部における発射レールの転動面からの突出寸法が、遊技球の直径寸法の２／３以上であって該遊技球の直径寸法以下の範囲に設定された請求項１または２記載の遊技機。
【請求項４】
前記支持部の前記設置面部からの突出寸法は、前記発射レールの前後方向の幅寸法と同等に設定される請求項１〜３の何れか一項に記載の遊技機。
【請求項５】
前記本体枠には、遊技球を貯留する球皿部材が前記設置面部の前側に開閉するよう配設され、該球皿部材の裏側に、該球皿部材を閉成した際に前記回転式駆動手段を臨ませ得る凹部を形成した請求項１〜４の何れか一項に記載の遊技機。
【発明の詳細な説明】
【技術分野】
【０００１】
本発明は、本体枠の下方に形成した設置面部に、遊技球を遊技盤の盤面へ向けて打ち出す発射ユニットを配設した遊技機に関するものである。
【背景技術】
【０００２】
代表的な遊技機であるパチンコ機は、外郭をなす外枠に対して、遊技盤を保持する中枠が開閉可能に組付けられると共に、該中枠の前面側に、遊技盤を透視保護するガラス板を設けた前枠や、パチンコ球を貯留する球皿部材が組付けられている。そして、前記中枠における遊技盤の下方位置に設けた打球発射装置を操作し、前記球皿部材に貯留したパチンコ球を遊技盤の盤面に打ち出すことにより、所要の遊技を行ない得るようになっている。前記打球発射装置は、遊技者が回動操作する操作ハンドルと、該操作ハンドルの操作に応じて球皿部材に貯留したパチンコ球を所定の打球発射位置に送出す球送出し装置と、打球発射位置にあるパチンコ球を遊技盤へ向けて発射させる発射ユニットとからなり、遊技者の操作ハンドルの操作により、球送り装置でパチンコ球が１球ずつ打球発射位置に送出されて、発射ユニットが遊技盤へ向けて打ち出すようになっている(例えば特許文献１参照)。
【０００３】
ここで、特許文献１に開示された発射ユニットは、前記中枠に固定される取付ベース部材の裏側にロータリーソレノイドを配設して、該取付ベース部材の前面側でロータリーソレノイドの回転軸に打球杆を固定すると共に、当該取付ベース部材の前面に前記遊技盤へ向けて延在する発射レールが取り付けられている。すなわち、前記打球杆は、前記発射レールの傾斜下端に設定される打球発射位置に臨むよう構成され、前記ロータリーソレノイドの作動により打球発射位置に送出されるパチンコ球を打球杆が打ち出すことで、発射レールに沿って遊技盤の遊技領域へ向けてパチンコ球が発射される。また、前記打球杆(ロータリーソレノイド)および発射レールの夫々を前記取付ベース部材に固定することで、打球杆(ロータリーソレノイド)と発射レールとの位置関係を常に一定とし、パチンコ機毎の発射性能を一定にし得ると共に、パチンコ機への組付け部品点数を削減して組付け作業の合理化を図り得るようになっている。
【特許文献１】特開平８−１９１９２４号公報
【発明の開示】
【発明が解決しようとする課題】
【０００４】
ところで、引用文献１に開示された発射ユニットは、前述したように、前記取付ベース部材の裏面側にロータリーソレノイドが配置され、該取付ベース部材の前面側に打球杆や発射レールが配置されている。従って、前記発射ユニットを中枠に取り付けるに際しては、該中枠に開設した開口部に前記ロータリーソレノイドを挿通させて、該ロータリーソレノイドと中枠との干渉を避ける必要がある。このため、前記中枠の後方にロータリーソレノイドが大きく突出することとなる。ここで、パチンコ機を設置する前記設置枠台には、パチンコ機の下方位置に対応する位置に、パチンコ機から排出されるパチンコ球を回収する球受け箱が配設されている。一方、前記ロータリーソレノイドは、前述したように、前記遊技盤の下方に配設されるため、パチンコ機の下部近傍に位置する。このため、中枠の後方にソレノイドが突出する構成では、該ソレノイドの設置位置によっては前記球受け箱とソレノイドとが干渉する問題が生じ、発射ユニットの中枠における配設位置が限定されてしまう。
【０００５】
そこで、本発明は、発射ユニットを必要に応じて任意位置に設置可能な遊技機を提供することを目的とする。
【課題を解決するための手段】
【０００６】
前記課題を克服し、所期の目的を達成するために、本願の請求項１に係る遊技機は、
本体枠(12)に形成した遊技盤保持部(24)に遊技盤(19)を着脱可能に保持すると共に、該本体枠(12)における遊技盤保持部(24)の下方に形成した設置面部(25)に、遊技球(S)を遊技盤(19)の盤面へ向けて打ち出す発射ユニット(35)を配設した遊技機において、
前記発射ユニット(35)は、
取付ベース部材(36)と、
前記取付ベース部材(36)の前面側に配置される回転式駆動手段(37)と、
前記取付ベース部材(36)の裏面側に配置されて前記遊技盤(19)の盤面へ発射可能な角度で傾斜し、所定の打球発射位置に遊技球(S)を停止保持可能な発射レール(38)と、
前記取付ベース部材(36)の裏面側に配置されて前記回転式駆動手段(37)の回転軸(37a)に接続し、該回転式駆動手段(37)の駆動により前記発射レール(38)の打球発射位置に停止保持した遊技球(S)を遊技盤(19)の盤面へ向けて打ち出す打球杆(42)とから構成し、
前記設置面部(25)には、前記発射ユニット(35)の裏面を設置面部(25)に対向させた姿勢で取り付け得るよう前方に突出する支持部(26)を形成し、
前記取付ベース部材(36)には、前記発射レール(38)における遊技球が転動する転動面(38a)より上方まで延在して、前記打球杆(42)が打ち出した遊技球(S)の発射レール(38)の前方への落下を防止する落下防止部(43)が形成し、
前記支持部(26)に発射ユニット(35)を取り付けた際に、前記設置面部(25)と取付ベース部材(36)との間に前記発射レール(38)および打球杆(42)が位置すると共に、該発射レール(38)が遊技球(S)の直径寸法より小さな離間間隔で設置面部(25)に近接するよう構成したことを要旨とする。
【０００７】
このように、遊技盤の遊技領域へ向けて遊技球を発射させる発射ユニットの取付ベース部材の前面側に回転式駆動手段を配置し、該回転式駆動手段の回転軸に取付ベース部材の裏面側に設けた打球杆を固定すると共に、当該取付ベース部材の裏面側に発射レールを配置したことで、該回転式駆動手段を本体枠の後方へ突出させることなく設置面部の支持部に発射ユニットを取り付けることができる。従って、遊技機を設置する設置枠台に設けた設備と、前記回転式駆動手段との干渉を防止し得るから、発射ユニットを必要に応じて任意位置に設置することが可能となる。また、前記回転式駆動手段を挿通する開口部を本体枠に開設する必要がないから、発射ユニットの設置位置において異物が挿入されるのを確実に阻止し得る。
また、前記取付ベース部材に、前記発射レールにおける遊技球が転動する転動面より上方まで延在する落下防止部を設けたことで、発射レールの前方への遊技球の落下を防止し得る。すなわち、前記発射レールの打球発射位置に送出された全ての遊技球を、無駄にすることなく遊技に供することができる。同様に、前記発射レールから打ち出されて再び発射レールに戻った遊技球であっても、発射レールの前方への遊技球の落下を前記落下防止部で阻止し得るから、遊技球を無駄にすることなく確実に遊技に供することができる。
【０００８】
請求項２に係る遊技機は、前記取付ベース部材(36)には、発射レール(38)の上端部に沿って延在するよう球送り用切欠部(36c)が形成され、球送り装置(13b)からの遊技球(S)を該球送り用切欠部(36c)を介して発射レール(38)の打球発射位置に送出するよう構成したことを要旨とする。
【０００９】
このように、発射レールの上端部に沿って延在するよう球送り用切欠部を取付ベース部材に形成することで、球送り装置から送出された遊技球を球送り用切欠部を介して確実に打球発射位置に送ることができる。
【００１０】
請求項３に係る遊技機は、前記落下防止部(43)は、前記取付ベース部材(36)における前記発射レール(38)の上端部に沿う縁部を上方に延出させて形成され、該落下防止部(43)における発射レール(38)の転動面(38a)からの突出寸法が、遊技球(S)の直径寸法の２／３以上であって該遊技球(S)の直径寸法以下の範囲に設定したことを要旨とする。
【００１１】
このように、落下防止部における発射レールの転動面からの突出寸法を、遊技球の直径寸法の２／３以上であって該遊技球の直径寸法以下の範囲に設定することで、遊技球の落下を確実に防止すると共に、落下防止部の突出寸法が必要以上に大きくなることによるコストの増大や発射ユニットの大型化を回避し得る。また、落下防止部を取付ベース部材の縁部から上方に延出するよう一体的に形成したので、コストの増加を抑制し得ると共に、落下防止部の取付ベース部材への組付け作業を不要とし得る。
【００１２】
請求項４に係る遊技機は、前記支持部(26)の設置面部(25)からの突出寸法は、発射レール(38)の前後方向の幅寸法と同等に設定されることを要旨とする。
【００１３】
このように、支持部の設置面部からの突出寸法を、発射レールの前後方向の幅寸法と同等に設定することで、支持部に取付ベース部材を取り付けた際に、設置面部に発射レールが近接し、発射レールの後方への遊技球の落下を確実に防止することができる。
【００１４】
請求項５に係る遊技機は、前記本体枠(12)には、遊技球(S)を貯留する球皿部材(16)が前記設置面部(25)の前側に開閉するよう配設され、該球皿部材(16)の裏側に、該球皿部材(16)を閉成した際に前記回転駆動式手段(37)を臨ませ得る凹部(16a)を形成したことを要旨とする。
【００１５】
このように、前記発射ユニットの前側に位置する球皿部材を前記本体枠に対して開閉可能に組付けることで、遊技機(本体枠)の前側から発射ユニットの組付け作業やメンテナンス作業等を容易に行ない得る。また、前記球皿部材の裏側に、前記回転駆動式手段を臨ませ得る凹部を形成したことで、前方に突出する回転式駆動手段を確実に収納することができる。
【発明の効果】
【００１８】
本発明に係る遊技機によれば、発射ユニットを必要に応じて任意位置に設置することができる。
【発明を実施するための最良の形態】
【００１９】
次に本発明に係る遊技機につき、好適な実施例を挙げて、添付図面を参照しながら以下詳細に説明する。なお本実施例では、遊技機として、パチンコ球を遊技媒体として使用する一般的なパチンコ機を例にして説明する。なお、以下の説明において左・右とは、特に断りのない限り、図１に示すようにパチンコ機を正面から見た状態において指称するものとする。
【実施例】
【００２０】
実施例に係るパチンコ機の概略構成について、図１または図２を参照して説明する。パチンコ機１０は、外郭をなし、遊技場に設けられた島とも称される設置枠台(遊技機設置枠台)５０(図７参照)に固定される外枠１１と、該外枠１１に対して着脱および開閉可能に枢支された中枠１２と、該中枠１２に着脱交換可能に取り付けられて所要の遊技領域１９ａが画成される遊技盤１９と、中枠１２の前面側に着脱および開閉可能に枢支されて、遊技盤１９を透視保護するガラス板１４を備えた前枠１３とを備えている。前記前枠１３には、前記ガラス板１４より下方に延在する板部１３ａに、パチンコ球Ｓ(図６参照)を貯留可能な上球皿１５が一体的に組付けられており、前枠１３の開閉に合わせて該上球皿１５も一体的に開閉するようになっている。また、前記中枠１２の前側における前記前枠１３の下方には、パチンコ球Ｓを貯留可能な下球皿１７を形成した球皿部材１６が着脱および開閉可能に組付けられている。ここで、前記球皿部材１６の裏面側には、後方に開口する凹部１６ａが形成されており、該球皿部材１６を閉成した際に、後述する発射ユニット３５のロータリーソレノイド３７を凹部１６ａに収容し得るようになっている。なお、前記設置枠台５０は、パチンコ球Ｓを回収する球回収部材５１(図７参照)を備えており、パチンコ機１０を設置枠台５０に設置した際に、パチンコ機１０(中枠１２)の裏側における左右方向の略中央位置に球回収部材５１が位置するようになっている。
【００２１】
また、図２に示すように、前記前枠１３(板部１３ａ)の裏側における前記上球皿１５の球出口(図示せず)に対応する位置には、中枠１２の裏側に設けた発射制御装置(図示せず)に接続する球送り装置１３ｂが配設されており、発射制御装置の制御に基づいて、上球皿１５に貯留したパチンコ球Ｓを発射ユニット３５の打球発射位置に１球ずつ送出すよう構成されている。更に、中枠１２における下球皿１７の右側には、前記発射制御装置に接続するハンドル部材１８が配設されており、該ハンドル部材１８を回動操作することにより、発射制御装置の制御に基づいて発射ユニット３５が作動して、前記上球皿１５に貯留したパチンコ球Ｓ(すなわち打球発射位置にあるパチンコ球Ｓ)を遊技盤１９の遊技領域１９ａに向けて発射するようになっている。
【００２２】
ここで、前記遊技盤１９は、前記中枠１２の上部位置に前後に開口するよう形成した遊技盤保持部２４(図２または図３参照)に対して前側から着脱可能に保持されている。また、前記遊技盤１９の盤面(前面)には、図２または図３に示すように、略円形状に湾曲形成した外レール２０および内レール２１が配設されており、該内レール２１の内側に画成される遊技領域１９ａ内に、図柄表示装置や入賞装置等の遊技用部品(何れも図示せず)を配置するようになっている。前記外レール２０および内レール２１は、パチンコ球Ｓが通過可能な距離だけ離間するよう設けられて、該内外のレール２０,２１の間に形成される発射通路２２をパチンコ球Ｓが通過することでパチンコ球Ｓが遊技領域１９ａの上部位置に発射されるようになっている。ここで、図３に示すように、前記発射通路２２は、遊技盤１９の下端部における左寄り位置で下方に開口すると共に、遊技盤１９の左上部位置で遊技領域１９ａ内に開口している。なお、前記内レール２１の上端部には、遊戯領域１９ａ内に発射されたパチンコ球Ｓが発射通路２２に戻るのを防止する球返し部材２１ａが取り付けられている。また、以下の説明においては、前記発射通路２２の下方開口を始端開口部２２ａと指称する。
【００２３】
また、前記中枠１２における前記遊技盤保持部２４の下方には、図３に示すように、左右方向の略中央位置に設置面部２５が形成されており、該設置面部２５に前記発射ユニット３５が配設されている。更に、前記中枠１２における設置面部２５の左方には、前記下球皿１７に連通する球戻し通路部２９が形成されると共に、該球戻し通路部２９の左方には、効果音出力用のスピーカ３０が配設されている。ここで、前記設置面部２５、球戻し通路部２９およびスピーカ３０の前側は、前記前枠１３の板部１３ａおよび前記球皿部材１６で閉成されるようになっている。なお、前記中枠１２における設置面部２５の右方に、前記ハンドル部材１８を配置してある。
【００２４】
図２,図３,図５または図７に示すように、前記遊技盤保持部２４の下端部には、前方へ突出する庇状部３１が形成されており、該庇状部３１が前記前枠１３の板部１３ａに当接するようになっている。すなわち、前記中枠１２における遊技盤１９の設置領域と、前記設置面部２５、球戻し通路部２９およびスピーカ３０等の設置領域とを、前記庇状部３１で区画するよう構成される。なお、前記庇状部３１における前記球戻し通路部２９と対応する位置には、上下に開口する戻り口３２が形成されており、該戻り口３２の上方に、前記遊技盤１９に形成した前記発射通路２２の始端開口部２２ａが臨んでいる。
【００２５】
前記設置面部２５は、前記遊技盤保持部２４に保持した遊技盤１９の盤面と略同一平面上に位置するよう形成されて(図２または図３参照)、前記発射ユニット３５が取り付けられる複数の支持部２６が前方へ突出するよう形成されている。ここで、前記各支持部２６の前記設置面部２５からの突出寸法は、前記発射ユニット３５における発射レール３８(後述)の前後方向の幅寸法と略同一になるよう設定されて、発射ユニット３５の裏面を設置面部２５に対向させた姿勢で取り付け得るよう構成されている(図７参照)。すなわち、前記支持部２６に発射ユニット３５を取り付けた際に、発射レール３８上のパチンコ球Ｓの後方への落下を設置面部２５で防止し得るようになっている。また、前記設置面部２５には、前記支持部２６に取り付けた発射ユニット３５における発射レール３８の上方に臨む位置に球溢れ防止壁２８が突設されており、該発射レール３８から上方に離間する方向にパチンコ球Ｓが移動するのを規制するようになっている。
【００２６】
なお、前記複数の支持部２６に対して、ネジ孔２６ａが全部で４箇所に螺設されると共に、位置決め孔２６ｂが全部で２箇所に穿設されている。更に、図３に示すように、前記設置面部２５と前記球戻し通路部２９とを画成する画壁２７には、前記球溢れ防止壁２８の上端部側に位置する前記庇状部３１の近傍に、１個のパチンコ球Ｓが通過し得る開口寸法に設定された開口部２７ａを開設してある。なお、前記設置面部２５の裏面側(すなわち、中枠１２の裏側における左右方向の略中央位置)には、遊戯領域１９ａに発射されて遊技に供されたパチンコ球Ｓを排出する球排出通路１２ａが設けられており、該球排出通路１２ａからパチンコ球Ｓが前記球回収部材５１に排出されるようになっている。
【００２７】
前記発射ユニット３５は、図４または図６に示すように、前記支持部２６に取り付けられる平板状の取付ベース部材３６と、該取付ベース部材３６の前面側に配置されるロータリーソレノイド(回転式駆動手段)３７と、取付ベース部材３６の裏面側に配置される発射レール３８と、取付ベース部材３６の裏面側に配置されてロータリーソレノイド３７の回転軸３７ａに接続する打球杆４２とを基本的に備えている。ここで、前記取付ベース部材３６には、前記支持部２６のネジ孔２６ａと対応する位置に、前後に貫通する通孔３６ａが穿設されると共に、該支持部２６の位置決め孔２６ｂと対応する位置に、後方に突出する位置決め突部３６ｂが突設されている。すなわち、前記発射ユニット３５を支持部２６に固定するに際しては、前記取付ベース部材３６の各位置決め突部３６ｂを対応する支持部２６の位置決め孔２６ｂに挿入して位置決めした状態で、取付ベース部材３６における各通孔３６ａの前側から挿通したネジ４６を対応するネジ孔２６ａに螺挿することで、該取付ベース部材３６が固定されるようになっている。また、前記取付ベース部材３６の左下部位置には、前後に貫通する挿通孔３６ｄ(図７参照)が穿設されており、該挿通孔３６ｄに前記ロータリーソレノイド３７の回転軸３７ａを挿通するようになっている。
【００２８】
前記発射レール３８は、前記取付ベース部材３６の裏面側の上部位置に、左方向へ向けて上方傾斜するよう配置されている。ここで、前記発射レール３８は、傾斜上端部が前記画壁２７の開口部２７ａに臨むと共に、前記遊技盤１９の外レール２０の接線方向に延在するよう取付ベース部材３６に取り付けられる。すなわち、前記発射レール３８に沿って発射されたパチンコ球Ｓは、前記画壁２７の開口部２７ａおよび前記戻り口３２を介して前記外レール２０(発射通路２２)に到来し、該外レール２０(発射通路２２)に沿って遊技盤１９の上部位置まで移動するようになっている。なお、前記発射レール３８は、図７に示すように、断面略Ｍ字状に形成されて、該発射レール３８におけるパチンコ球Ｓが転動する転動面３８ａの長手方向に沿って案内溝３８ｂ(図４または図７参照)が形成されるようになっており、発射レール３８(転動面３８ａ)上のパチンコ球Ｓが該案内溝３８ｂに沿って移動するよう構成されている。
【００２９】
また、前記取付ベース部材３６の裏面側には、図６に示すように、前記発射レール３８の傾斜下端部側の上方位置に、パチンコ球Ｓに当接して落下を防止する球規制部材３９が取り付けられており、該球規制部材３９によりパチンコ球Ｓを発射レール３８の傾斜下端部で停止保持するようになっている。なお以下の説明において、前記球規制部材３９がパチンコ球Ｓを停止保持する位置を打球発射位置と指称する。また、前記取付ベース部材３６の裏面側には、前記発射レール３８の傾斜下端部側の下方位置に、前記打球杆４２を位置規制する上ストッパ４０が設けられると共に、ロータリーソレノイド３７の配設位置の右方(図６では左方)に、該打球杆４２を位置規制する下ストッパ４１が設けられている。前記上下のストッパ４０,４１は、ゴム等の弾性部材で形成されており、打球杆４２の衝突による衝撃を緩衝するようになっている。
【００３０】
前記打球杆４２は、図６に示すように、所要長の棒状部材であって、前記上下のストッパ４０,４１の間に臨むよう一方の端部に前記ロータリーソレノイド３７の回転軸３７ａが固定されると共に、他方の端部にコイルスプリングやゴム材等からなる弾発部４２ａが設けられている。すなわち、前記打球杆４２は、常には前記ロータリーソレノイド３７の回転軸３７ａから右方向に延在して下ストッパ４１に当接する初期位置に保持され、該ロータリーソレノイド３７の駆動に伴って前記弾発部４２ａが発射レール３８の打球発射位置に臨む終位置に揺動されるようになっている。なお、前記打球杆４２が終位置に到来すると前記上ストッパ４０に当接して揺動が規制され、その後に打球杆４２の自重により初期位置に復帰するようになっている。すなわち、前記ロータリーソレノイド３７への通電励磁毎に、前記打球杆４２が前記初期位置と終位置との間で揺動変移されて、発射レール３８における打球発射位置のパチンコ球Ｓを打ち出し得るようになっている。なお、前記球送り装置１３ｂは、前記打球杆４２が終位置に到来してパチンコ球Ｓを打ち出した後に、上球皿１５のパチンコ球Ｓを発射レール３８(打球発射装置)に送出すよう設定されており、該球送り装置１３ｂおよびロータリーソレノイド３７の作動タイミングを図示しない発射制御装置が制御するようになっている。
【００３１】
ここで、図４または図６に示すように、前記取付ベース部材３６は、前記発射レール３８の転動面３８ａより上方に延在(突出)するよう形成される。すなわち、前記取付ベース部材３６における前記発射レール３８の転動面３８ａより上方まで延在する部位が、該発射レール３８の前側にパチンコ球Ｓが落下するのを防止する落下防止部４３として機能する。ここで、前記発射レール３８の転動面３８ａからの前記落下防止部４３の突出寸法Ｌは、パチンコ球Ｓの直径寸法の２／３≦Ｌ≦直径寸法の範囲となるよう設定されている。すなわち、前記落下防止部４３の突出寸法Ｌがパチンコ球Ｓの直径寸法の２／３より小さく設定すると、パチンコ球Ｓの前方への落下を防止し得なくなる虞があり、また落下防止部４３の突出寸法Ｌがパチンコ球Ｓの直径寸法より大きく設定すると、必要以上に落下防止部４３が大きくなり、コストの増大や発射ユニット３５が大型化する問題を招来する。
【００３２】
なお、前記取付ベース部材３６は、前記発射レール３８の打球発射位置に近接する端部側は、落下防止部４３に対して発射レール３８の上端部に沿って延在するよう切欠き形成されて、この切欠き(以下、球送り用切欠部３６ｃという)に前記球送り装置１３ｂが臨むよう設定されている。すなわち、前記球送り装置１３ｂからのパチンコ球Ｓは、前記球送り用切欠部３６ｃを介して発射レール３８の打球発射位置に送出される。なお、前枠１３を閉成した際に、前記球送り装置１３ｂが前記取付ベース部材３６の前面に当接すると共に、前記球送り用切欠部３６ｃを閉成するよう構成されて、前記発射レール３８に送出したパチンコ球Ｓが球送り用切欠部３６ｃを介して取付ベース部材３６の前方へ落下しないようにしてある。
【００３３】
〔実施例の作用〕
次に、実施例に係るパチンコ機１０の作用につき説明する。
【００３４】
前記発射ユニット３５は、前記取付ベース部材３６の前面側から回転軸３７ａを挿通孔３６ｄに挿通した状態で、該取付ベース部材３６にロータリーソレノイド３７をネジ止めし、該取付ベース部材３６の裏面側には、所定の傾斜角度で発射レール３８を取り付けると共に、球規制部材３９および上下のストッパ４０,４１を取り付け、該上下のスットパ４０,４１の間に位置するよう前記ロータリーソレノイド３７の回転軸３７ａに打球杆４２を取り付けることにより組付けられる。そして、前記取付ベース部材３６の裏面を中枠１２の設置面部２５に対向させた状態で、該設置面部２５に形成した支持部２６の位置決め孔２６ｂに、取付ベース部材３６の位置決め突部３６ｂを挿入することで、前記発射ユニット３５が所定位置に位置決めされ、この状態で取付ベース部材３６に形成した各通孔３６ａの前側から支持部２６のネジ孔２６ａにネジ４６を螺挿することで、前記発射ユニット３５の裏面を対向させた姿勢で設置面部２５の所定位置に発射ユニット３５が取り付けられる。これにより、前記設置面部２５と取付ベース部材３６との間に、前記発射レール３８および打球杆４２が位置する。
【００３５】
このように、前記発射ユニット３５の取付ベース部材３６に位置決め突部３６ｂを形成すると共に、前記設置面部２５の支持部２６に位置決め孔２６ｂを形成することで、発射ユニット３５の位置決め固定を容易に行ない得るから、発射ユニット３５の組付け作業を簡単に行なうことができる。また、前記ロータリーソレノイド３７、発射レール３８、球規制部材３９、上下のストッパ４０,４１および打球杆４２を取付ベース部材３６に取り付けてユニット化することで、発射ユニット３５の組付け作業を短時間で行なうことができ、作業効率の向上を図り得る。更に、前記発射レール３８と打球杆４２との相対的な位置関係を常に一定に保ち得るから、ロータリーソレノイド３７を作動して打球杆４２を揺動した際に、該打球杆４２の弾発部４２ａを確実に打球発射位置に臨ませることができ、パチンコ球Ｓの打ち出しを正確に行ない得る利点がある。
【００３６】
ここで、近年のように遊技盤１９を大きくして遊技盤保持部２４を中枠１２の下方位置に形成すると、発射ユニット３５を配設する設置面部２５も下方に設ける必要が生ずる。この場合に、中枠の右側にはハンドル部材１８が設けられているため、設置面部を中枠の右側に形成する構成のまま設置面部の形成位置を下方に移動することは困難である。このため、前記中枠における設置面部の形成位置を左方向に移動する必要があり、この場合に、遊技盤の発射通路へのパチンコ球の発射を考慮すると、中枠の左右方向の略中央位置に形成するのが最適である。しかしながら、前記設置枠台５０に設けた球回収部材５１がパチンコ機(中枠)の裏側における左右方向の略中央位置に臨むため、従来のように中枠の後方にロータリーソレノイドが中枠の後方に突出する構成では、設置面部をパチンコ機(中枠)の左右方向の略中央位置に設けて発射ユニットを配設することは困難である。
【００３７】
これに対して、実施例に係る発射ユニット３５では、前記取付ベース部材３６の前面側にロータリーソレノイド３７を配置して、該取付ベース部材３６の裏面側に発射レール３８や打球杆４２等を設けると共に、設置面部２５に支持部２６を突設するよう構成したことで、該ロータリーソレノイド３７を中枠１２の後方へ突出させることなく設置面部２５に配設することができる。従って、パチンコ機１０を設置する設置枠台５０に設けた球回収部材５１に、前記ロータリーソレノイド３７が干渉することはないから、発射ユニット３５を設置する設置面部２５を中枠１２の左右方向の略中央位置に形成することが可能である。このように、実施例のように、取付ベース部材３６の前面側にロータリーソレノイド３７を配置することで、設置面部２５の形成位置に拘らず発射ユニット３５を設けることができるから、遊技盤１９の大型化等のようにパチンコ機設計上の自由度の向上を図り得る。
【００３８】
また、前記ロータリーソレノイド３７を取付ベース部材３６の裏面側に取り付ける構成では、該ロータリーソレノイド３７と中枠１２(設置面部２５)との干渉を防止するため、該中枠１２(設置面部２５)に開口部を形成する必要があり、該開口部を介して異物を挿入する等の不正行為が行なわれる可能性が高くなる問題を内在している。これに対して、実施例では、前記取付ベース部材３６の前面側にロータリーソレノイド３７を配置するよう構成したから、該ロータリーソレノイド３７を挿通する開口部を中枠１２に開設する必要がなく、異物が挿入されるのを防止し得る利点がある。
【００３９】
また、前記取付ベース部材３６の前面側にロータリーソレノイド３７を配置することで、従来に較べて発射ユニット３５(ロータリーソレノイド３７)が前方に突出している。実施例では、前記球皿部材１６の裏側に、前記ロータリーソレノイド３７を収容可能な凹部１６ａを形成したことで、前方に突出するロータリーソレノイド３７を確実に収納することができる。また、前記発射ユニット３５の前側に位置する球皿部材１６を前記中枠１２に対して開閉可能に組付けてあるから、該発射ユニット３５のメンテナンス作業等を容易に行なうことができる。
【００４０】
更に、実施例では、前記設置面部２５に形成した支持部２６の突出寸法を、前記発射レール３８の前後方向の幅寸法と略同等に設定したから、該支持部２６に取付ベース部材３６を取り付けた際に、設置面部２５に発射レール３８が近接し、発射レール３８の後方へのパチンコ球Ｓの落下を防止できる。また、前記取付ベース部材３６に、前記発射レール３８の上端縁より上方まで延在する落下防止部４３を設けるようにしたことで、発射レール３８の前方へのパチンコ球Ｓの落下を防止することが可能となる。更に、前記設置面部２５に前記発射レール３８の上方を覆う球溢れ防止壁２８を形成してあるから、パチンコ球Ｓが前記落下防止部４３を越えて発射レール３８の前方に落下するのを防止し得る。
【００４１】
ここで、前記落下防止部を発射ユニット３５(取付ベース部材３６)とは別部材とし、該別部材とした落下防止部を取付ベース部材３６や前枠１３の板部１３ａに設けることも考えられるが、この場合には、コストの増大や組付け作業が煩雑になる等の不都合が生ずる。これに対し、実施例のように、取付ベース部材３６を発射レール３８の転動面３８ａより上方まで延在させて落下防止部４３を設けるようにすることで、コストの増加を抑制し得ると共に、落下防止部４３の組付け作業が不要となる利点がある。このとき、落下防止部４３の発射レール３８の転動面３８ａからの突出寸法Ｌを、パチンコ球Ｓの直径寸法の２／３≦Ｌ≦直径寸法の範囲となるよう設定することで、パチンコ球Ｓの前方への落下を確実に防止し得ると共に、取付ベース部材３６の大型化によるコストの増大や発射ユニット３５自体の大型化といった問題を回避することができる。
【００４２】
すなわち、前記発射レール３８の打球発射位置に送出された全てのパチンコ球Ｓは、前記設置面部２５、落下防止部４３および球溢れ防止壁２８で囲まれた空間から逸脱することはないから、無駄にすることなく遊技に供することができる。また、打球杆４２により打ち出されて遊技盤１９の発射通路２２に進入したパチンコ球Ｓは、その勢いによっては遊戯領域１９ａ内に発射されることなく前記外レール２０に沿って戻ることがある。この場合に、前記設置面部２５と球戻し通路部２９とを画成する画壁２７の開口部２７ａの開口寸法を、１個のパチンコ球Ｓが通過可能な寸法に設定してあることから、前記設置面部２５内(すなわち発射レール３８側)にパチンコ球Ｓが戻るのは防止され、球戻し通路部２９を介して下球皿１７に排出される。また、仮に、前記画壁２７の開口部２７ａを介してパチンコ球Ｓが発射レール３８に戻った場合であっても、前記設置面部２５、落下防止部４３および球溢れ防止壁２８で囲まれた空間から逸脱することなく、確実に遊技に供することができる。
【００４３】
〔変更例〕
なお、遊技機の構成としては、実施例のものに限らず、種々の変更が可能である。例えば、実施例では、設置面部を本体枠の左右方向略中央位置に形成するようにしたが、これに限られるものではなく、本体枠の左右に偏った位置に設置面部を形成するようにしてもよい。この場合であっても、設置面部の後方に回転式駆動手段が突出することはないから、遊技機の後方に位置する部材に回転式駆動手段が干渉することはなく、実施例と同様の作用効果を得ることができる。
【００４４】
実施例では、前記支持部の設置面部からの突出寸法を、発射ユニットにおける発射レールの前後方向の幅寸法と略同一になるよう設定するようにしたが、これに限られるものではなく、該支持部の設置面部からの突出寸法は、発射ユニットを取り付けた際に設置面部と取付ベース部材との間に発射レールおよび打球杆が位置し得る寸法に設定すればよい。なお、発射ユニットを支持部に取り付けた際に、前記設置面部と発射レールとの間の間隔が遊技球の直径寸法より小さくなるよう支持部の設置面部からの突出寸法を設定して、発射レールの後方への遊技球の落下を設置面部で防止し得るよう構成することが好適である。
【００４５】
実施例では、発射ユニットの回転式駆動手段としてロータリーソレノイドを用いたが、これに限定されるものではなく、モータ等の従来公知の回転式駆動手段を用いることが可能である。
【００４６】
実施例では、発射ユニットの取付ベース部材に、回転式駆動手段、発射レール、球規制部材および上下のストッパを取り付けるようにしたが、これに限られず、取付ベース部材の前面側に回転式駆動手段を配置し、取付ベース部材の裏面側に発射レールを配置すると共に、取付ベース部材の裏面側に配置した打球杆を回転式駆動手段の回転軸に取り付けるよう構成すればよい。
【００４７】
また、実施例では、遊技機としてパチンコ機を例示して説明したが、これに限られるものではなく、本体枠に形成されて遊技盤を着脱可能に保持する遊技盤保持部と、前記本体枠における遊技盤保持部の下方に形成され、該本体枠の左右方向の略中央に位置する設置面部と、前記本体枠における前記設置面部の前側に開閉可能に配設され、遊技球を貯留する球皿部材と、前記球皿部材に貯留した遊技球を遊技盤の盤面へ向けて打ち出す発射ユニットとを備えた遊技機であれば、アレンジボール機等の従来公知の各種遊技機を採用し得る。
【図面の簡単な説明】
【００４８】
【図１】本発明の実施例に係るパチンコ機を示す正面図である。
【図２】実施例に係るパチンコ機を示す斜視図であって、前枠および球皿部材を開放した状態を示す。
【図３】実施例に係るパチンコ機における設置面部の形成位置を拡大して示す正面図であって、設置面部から発射ユニットを取り外した状態を示す。
【図４】実施例に係る発射ユニットを示す斜視図である。
【図５】実施例に係るパチンコ機における設置面部の形成位置を拡大して示す正面図であって、設置面部に発射ユニットを配設した状態を示す。
【図６】実施例に係る発射ユニットを示す背面図であって、(a)は打球杆が初期位置にある状態を示し、(b)は打球杆が終位置に変位して弾発部が発射レールの打球発射位置に臨む状態を示す。
【図７】実施例に係るパチンコ機を設置面部で縦断した状態で拡大して示す側面図である。
【符号の説明】
【００４９】
１２ 中枠(本体枠)，１３ｂ 球送り装置，１６ 球皿部材，１６ａ 凹部
１９ 遊技盤，２４ 遊技盤保持部，２５ 設置面部，２６ 支持部
３５ 発射ユニット，３６ 取付ベース部材，３６ｃ 球送り用切欠部
３７ ロータリーソレノイド(回転式駆動手段)，３７ａ 回転軸，３８ 発射レール
３８ａ 転動面，４２ 打球杆，４３ 落下防止部，Ｓ パチンコ球(遊技球)
【図１】
0004728770.tif 000002
【図２】
0004728770.tif 000003
【図３】
0004728770.tif 000004
【図４】
0004728770.tif 000005
【図５】
0004728770.tif 000006
【図６】
0004728770.tif 000007
【図７】
0004728770.tif 000008